(57)【要約】【課題】オペレータの複雑な調整作業なしに、角折れや２重折れを防止することができる紙折り装置を提供する。【解決手段】第１折りローラ４１０  から送られてきた用紙に対し第２の折り畳み位置を決定する第２折り畳み位置決定機構３００  を備える。この第２折り畳み位置決定機構３００  を構成する用紙搬送路３１０  の上ガイド板３１１  に対し、その用紙導入、送出口部分に、その表面から下ガイド板３１２  方向に丸みを帯びて突出し、第２折りローラへと送出される用紙が浮上るのを防止する用紙浮上り防止機構３７０  を設ける。【選択図】        図１
2004352421.tif 000002
【特許請求の範囲】
【請求項１】
送り込まれてきた用紙を予め定められた折り寸法、折りパターンに折り畳む紙折り装置であって、
送り込まれてきた用紙の第１の折り畳み位置を決定する第１の折り畳み位置決定機構と、前記用紙を前記第１の折り畳み位置決定機構で決定された位置で折り畳む第１の折りローラと、
この第１の折りローラで折り畳まれた用紙に対し第２の折り畳み位置を決定する第２の折り畳み位置決定機構と、
この第２の折り畳み位置決定機構で決定された第２の折り畳み位置で前記用紙の第２の折り畳みを行う第２の折りローラと、
を有し、
前記第２の折り畳み位置決定機構が、
上ガイド板と下ガイド板とを含みこれらガイド板の間に前記第１の折りローラからの用紙を導入し、かつ前記第２の折りローラへと用紙を送出する用紙搬送路を備えて構成され、
前記上ガイド板の用紙導入、送出口部分に、この上ガイド板表面から前記下ガイド板方向に丸みを帯びて突出し前記第２の折りローラへの用紙が浮き上るのを抑える用紙浮上り防止機構を設けた構造である
ことを特徴とする紙折り装置。
【請求項２】
前記用紙浮上り防止機構が、
それぞれ前記上ガイド板の表面から前記下ガイド板方向に球殻状に突出するように、しぼり加工で形成された複数のしぼり加工突起を含む構造である請求項１記載の紙折り装置。
【請求項３】
前記用紙浮上り防止機構が、
それぞれ前記上ガイド板の表面から前記下ガイド板方向に球面状表面の一部が突出するように配置された複数の部分球状部材と、
これら複数の部分球状部材それぞれを前記下ガイド板方向に加圧する複数のばねと、
を含む構造である請求項１記載の紙折り装置。
【請求項４】
前記用紙浮上り防止機構が、
それぞれ前記上ガイド板の表面から前記下ガイド板方向に自重でその球面状表面の一部が突出するように配置された複数の球状部材と、
これら複数の球状部材それぞれが設定された部位から脱落しないようにその周囲を覆うカバー部材と、
を含む構造である請求項１記載の紙折り装置。
【請求項５】
前記用紙浮上り防止機構が、
前記上ガイド板の用紙導入、送出口部分の辺に沿って、連続して前記上ガイド板表面から前記下ガイド板方向に突出するように曲げ加工で形成された曲げ加工連続突起構造である
請求項１記載の紙折り装置。
【請求項６】
前記用紙浮上り防止機構は、
その丸みを帯びて突出する部分の外表面が３〜４．５ｍｍの曲率半径を有し、かつ、その頂点と前記下ガイド板との間隔が０．５〜１．０ｍｍとなるように形成された構造である請求項１乃至請求項５のいずれか１項に記載の紙折り装置。
【発明の詳細な説明】
【０００１】
【発明の属する技術分野】
本発明は紙折り装置に関し、特に送り込んだ用紙を予め定められた送り寸法、折りパターンに折り畳む紙折り装置に属する。
【０００２】
【従来の技術】
紙折り装置の一例として、用紙を２段に折り畳むことができる従来の紙折り装置について、図面を参照しながら説明する。
図１５はこの種の紙折り装置（第１の例）の全体構成を示す側面図である。この紙折り装置の主要構成は、折り対象の用紙を設定された速度で装置内に送り込む、給紙機構１００と、用紙の最初の折り畳み位置を決定する第１折り畳み位置決定機構２００と、この第１折り畳み位置決定機構２００で決定された折り畳み位置で用紙を折り畳む第１折りローラ４１０と（図１８に示すように、折りローラＡ４１１及び折りローラＢ４１２で形成されている。）、この第１の折りローラ４１０で折り畳まれた用紙の２番目の折り畳み位置を決定する第２折り畳み位置決定機構３００ｘと、この第２の折り畳み位置決定機構３００ｘで決定された２番目の折り畳み位置で用紙を折り畳む第２折りローラ４２０と（折りローラＢ４２１及び折りローラＣ４２２で形成され、そのうちの一方（４２２）を第１折りローラ４１０の折りローラＢ４１２と共用している。）、この第２の折りローラ４２０で折り畳まれた用紙を折り済用紙受６００に搬送排紙する排紙機構５００とを含む。
【０００３】
次に、これら各部について更に詳しく説明する。
まず、給紙機構１００は、給紙ローラＡ１１０及び給紙ローラＢ１２０（２つのローラで形成されていて、そのうちの一方を第１折りローラ４１０の折りローラＡ４１１と共用している。）を含んで構成され、第１折り畳み位置決定機構２００に対し用紙を１枚づつ搬送する。
【０００４】
次に、第１折り畳み位置決定機構２００は、その上方から見た平面図と、その側面図とが図１６（ａ），（ｂ）に示されており、上ガイド板２１１及び下ガイド板２１２から成り、送り込まれてきた用紙をガイドし搬送する用紙搬送路２１０と、この用紙搬送路２１０内に配置された用紙停止面２２１を含み、用紙搬送路２１０に送り込まれてきた用紙の先端辺部分がこの用紙停止面２２１に当接して、この用紙が用紙搬送路２１０内に更に入り込むのを停止させる用紙ストッパ板２２０と、位置決めモータ２４１、タイミングベルト２４２、ガイドねじ軸２４３、及びガイドロック２４４から成り、用紙ストッパ板２２０を位置決め固定して用紙の最初の折り畳み位置を決定する位置決め機構部２４０と、を備えた構造となっている。
【０００５】
また、第２折り畳み位置決定機構３００ｘは、その上方から見た平面図と、その側面図とが図１７（ａ），（ｂ）に示されており、上ガイド板３１１ｘ及び下ガイド板３１２から成り送り込まれてきた用紙をガイドし搬送する用紙搬送路３１０ｘと、この用紙搬送路３１０ｘ内に配置された用紙停止面３２１を含み、用紙搬送路３１０ｘに送り込まれた用紙の先端部分がこの用紙停止面３２１に当接して、この用紙が用紙搬送路３１０ｘ内に更に入り込むのを停止させる用紙ストッパ板３２０と、位置決めモータ３４１、タイミングベルト３４２、ガイドねじ軸３４３、及びガイドブロック３４４から成り、用紙ストッパ板３２０を位置決め固定してこの用紙の２番目の折り畳み位置を決定する位置決め機構部３４０と、を備えた構造となっている。
【０００６】
そして、図１８（ａ），（ｂ）に示すように、先ず、給紙機構１００から用紙８００を、第１折り畳み位置決定機構２００に対し設定された速度で送り込むと、用紙８００が用紙搬送路２１０内に入り込んでガイド、搬送され、その先端辺部分が用紙ストッパ板２２０の用紙停止面２２１に当接して、用紙が更に用紙搬送路２１０内へと入り込まれるのを停止させるが、給紙機構１００からは用紙８００が引き続き設定速度で送り込まれているため、用紙８００は第１折りローラ４１０方向にたわんでその先端部分がこの第１折りローラ４１０にくわえ込まれ、この第１折りローラ４１０により、用紙８００に対する最初の折り畳みが行われる（図１８（ａ））。
【０００７】
続いて、第１折りローラ４１０で折り畳まれた用紙８００は第２畳み位置決定機構３００ｘへと送り込まれ、同様の動作により、用紙８００の先端辺部分が停止して第２折りローラ４２０にくわえ込まれ、用紙８００に対し２番目の折り畳みが行われる（図１８（ｂ））。
【０００８】
この第２折りローラ４２０で折り畳まれた用紙８００は、排紙機構５００を通って、折り済用紙受６００に入る。
【０００９】
また、オフィス対応の装置では、不特定多数のオペレータが使用することを踏まえて、折りモード、折りパターン変更に伴う部品、構成品の交換、及び用紙搬送路隙間などの調整作業を強要するような、複雑な機構、構成を採用することは極力回避するようにしている（例えば、特許文献１参照）。
【００１０】
【特許文献１】
特開平６−１９１７２１号公報
【００１１】
前述の紙折り装置においては、図１９に示すように、第１折り畳み位置決定機構２００と第２折り畳み位置決定機構３００ｙとの間に、切換え爪４５１、切換えアングル４５２、及び切換え制御器４５３から成る切換え機構４５０を配設して、オペレータの操作性を向上させている。なお、この切換え機構４５０は、その切換え制御器４５３が第２折り畳み位置決定機構３００ｙの用紙ストッパ板３２０に配設されてこれと連動し、切換え爪４５１は下ガイド板３１２との間に設定された間隔を保って用紙８００の動きを制御できるように、上ガイド板３１１ｙの先端辺に近接して設けられていて、上ガイド板３１１ｙは、切換え機構４５０が配設されていない前述の場合の上ガイド板３１１に比べて短くなっている。
【００１２】
この切換え機構４５０により、第１折り畳み位置決定機構２００から直接、排紙することができて排紙が容易になるほか、２つ折りの状態で紙折り動作を完了させることができるなど、機能が拡大する。
【００１３】
【発明が解決しようとする課題】
上述した従来の紙折り装置は、第１の例の場合、第２折り畳み位置決定機構３００ｘにおける用紙搬送路３１０ｘの用紙出入口部分で、その上ガイド板３１１ｘが上方にそり返っていて第１折りローラ４１０からの用紙８００を受け入れやすくする構造となっているため、用紙出入口部分の上ガイド板３１１ｘと下ガイド板３１２との間が広がっており、この広がりのために、用紙８００が第２折りローラ４２０に入り始めて折り目が付きはじめたところで、第１折りローラ４１０で折り畳まれた用紙８００の上側の用紙先端辺部分が第２折りローラ４２０のうちの１つの、折りローラＢ４２１（４１２）に当接して用紙８００の第２折りローラ４２０方向への移動が一時的に停止し、第１の折り目付近に用紙のたるみが発生する。この状態で用紙８００の上側先端辺部分が第２折りローラ４２０にくい込まれ、第１の折り目付近に別の折り目が形成される、というような、第１の折り目付近の第２折りローラ４２０による２重折れの発生や、先端辺の角部分が先に当接して角折れが発生するなどの問題点があり、また、切換え機構４５０が設けられた第２の例では、この切換え機構４５０の切換え爪４５１の分、上ガイド板３１１ｙは短く、第１の例ほどには上方にそり返ってはいないものの、図２０（ａ），（ｂ）に示すように、第１折りローラ４１０で折り畳まれた用紙８００が、第２折り畳み位置決定機構３００ｙで位置決めされて第２折りローラ４２０へとくい込まれて行く際に、上側の用紙が上ガイド板３１１ｙの出入口部分と、切換え爪４５１と、に接触し、その先端辺部分が折りローラＢに当接することになって、図２１（ａ）に示すような内三つ折りなどを行う場合に、図２１（ｂ）に示すような角折れや、図２１（ｃ）に示すような２重折れが発生する、という問題点がある。
【００１４】
本発明の目的は、上記従来技術の問題点に鑑みて、角折れや２重折れを防止することができる紙折り装置を提供することにある。
【００１５】
【課題を解決するための手段】
本発明の紙折り装置は、送り込まれてきた用紙を予め定められた折り寸法、折りパターンに折り畳む紙折り装置であって、
送り込まれてきた用紙の第１の折り畳み位置を決定する第１の折り畳み位置決定機構と、前記用紙を前記第１の折り畳み位置決定機構で決定された位置で折り畳む第１の折りローラと、
この第１の折りローラで折り畳まれた用紙に対し第２の折り畳み位置を決定する第２の折り畳み位置決定機構と、
この第２の折り畳み位置決定機構で決定された第２の折り畳み位置で前記用紙の第２の折り畳みを行う第２の折りローラと、
を有し、
前記第２の折り畳み位置決定機構が、
上ガイド板と下ガイド板とを含みこれらガイド板の間に前記第１の折りローラからの用紙を導入し、かつ前記第２の折りローラへと用紙を送出する用紙搬送路を備えて構成され、
前記上ガイド板の用紙導入、送出口部分に、この上ガイド板表面から前記下ガイド板方向に丸みを帯びて突出し前記第２の折りローラへの用紙が浮き上るのを抑える用紙浮上り防止機構を設けた構造である、ことを特徴とする。
【００１６】
また、前記用紙浮上り防止機構が、
それぞれ前記上ガイド板の表面から前記下ガイド板方向に球殻状に突出するように、しぼり加工で形成された複数のしぼり加工突起を含む構造であるか、それぞれ前記上ガイド板の表面から前記下ガイド板方向に球面状表面の一部が突出するように配置された複数の部分球状部材と、
これら複数の部分球状部材それぞれを前記下ガイド板方向に加圧する複数のばねと、を含む構造である、構成を有している。
【００１７】
更に、前記用紙浮上り防止機構が、
それぞれ前記上ガイド板の表面から前記下ガイド板方向に自重でその球面状表面の一部が突出するように配置された複数の球状部材と、
これら複数の球状部材それぞれが設定された部位から脱落しないようにその周囲を覆うカバー部材と、を含む構造であるか、
前記上ガイド板の用紙導入、送出口部分の辺に沿って、連続して前記上ガイド板表面から前記下ガイド板方向に突出するように曲げ加工で形成された曲げ加工連続突起構造である、構成を有している。
【００１８】
更にまた、前記用紙浮上り防止機構は、
その丸みを帯びて突出する部分の外表面が３〜４．５ｍｍの曲率半径を有し、かつ、その頂点と前記下ガイド板との間隔が０．５〜１．０ｍｍとなるように形成された構造である、構成を有している。
【００１９】
【発明の実施の形態】
本発明の一実施の形態は、送り込まれてきた用紙を予め定められた折り寸法、折りパターンに折り畳む紙折り装置であって、
送り込まれてきた用紙の第１の折り畳み位置を決定する第１の折り畳み位置決定機構と、上記用紙を上記第１の折り畳み位置決定機構で決定された位置で折り畳む第１の折りローラと、
この第１の折りローラで折り畳まれた用紙に対し第２の折り畳み位置を決定する第２の折り畳み位置決定機構と、
この第２の折り畳み位置決定機構で決定された第２の折り畳み位置で上記用紙の第２の折り畳みを行う第２の折りローラと、
を有し、
上記第２の折り畳み位置決定機構が、
上ガイド板と下ガイド板とを含みこれらガイド板の間に上記第１の折りローラからの用紙を導入し、かつ上記第２の折りローラへと用紙を送出する用紙搬送路を備えて構成され、
上記上ガイド板の用紙導入、送出口部分に、この上ガイド板表面から上記下ガイド板方向に丸みを帯びて突出し上記第２の折りローラへの用紙が浮き上るのを抑える用紙浮上り防止機構を設けた構造であり、
上記用紙浮上り防止機構が、
それぞれ上記上ガイド板の表面から上記下ガイド板方向に球殻状に突出するように、しぼり加工で形成された複数のしぼり加工突起を含む構造である、構成となっている。
【００２０】
このような構成、構造とすることにより、オペレータによる複雑な調整作業なしに第２の折り畳み位置決定機構における用紙搬送路の用紙導入、送出口部分で、第２の折りローラへと送出される用紙、特に折り返された用紙が浮き上るのを上ガイド板の先端辺部分の突起で抑えることができて、折り返された用紙の先端辺部分が第２の折りローラ等に当接したり、屈曲したりすることがなくなり、第２の折り畳み位置決定機構からの用紙が円滑に第２の折りローラにくわえられて折り畳まれるので、折り畳まれた用紙に角折れや２重折れが発生するのを防止することができる。
【００２１】
なお、用紙浮上り防止機構としては、上記のほかに、部分球状部材とばねとによる構造のもの、球状部材とそのカバーとによる構造のもの、上ガイド板の用紙導入、送出口部分の辺に沿って連続して突出する構造のものなどがある。
【００２２】
【実施例】
次に本発明の実施例について図面を参照して説明する。
図１は本発明の第１の実施例を示す紙折り装置全体の側面図、図２はこの第１の実施例における第２折り畳み位置決定機構の拡大側面図、図３はその第２折り畳み位置決定機構の平面図、図４（ａ），（ｂ）はその用紙搬送路の用紙導入、送出口部分の拡大断面側面図、図５はその用紙搬送路の用紙導入、送出口部分と折りローラとの位置関係を示す側面図、図６はその用紙搬送路の用紙導入、送出口部分と折りローラとの位置関係を示す平面図である。
【００２３】
この実施例が、図１５〜図１８に示された従来の紙折り装置と相違する点は、第２折り畳み位置決定機構３００，３００ｘの用紙搬送路３１０，３１０ｘを形成する上ガイド板３１１，３１１ｘにおいて、本発明の上ガイド板３１１はその用紙導入、送出口となる部分に、第２折りローラ４２０へと送出される用紙８００、特にその折り返された上側の用紙が浮き上るのを防止する、複数のしぼり突起Ａ３７１（上ガイド板３１１のスリットと対応する部位）及びしぼり突起Ｂ３７２（スリットのない部位）から成る構造（この実施例では、しぼり突起Ａ３７１としぼり突起Ｂ３７２とでその大きさを変えているが、同一寸法、同一形状であってもよい）の用紙浮上り防止機構３７０を配設しているのに対し、従来の上ガイド板３１１ｘには、このような用紙浮上り防止用突起がない点にある。
【００２４】
このように、上ガイド板３１１に用紙浮上り防止機構３７０を配設することにより、用紙搬送路３１０から第２折りローラ４２０へと送出される用紙８００は、図７に示されるように、その突起（３７１，３７２）により浮上るのを抑えられて、用紙８００の開口側の辺部分が第２折りローラ４２０、中でもその折りローラＢ４２１に当接することなく折りローラＢ４２１・折りローラＣ４２２間にくい込まれて折り畳まれるようになり、折り畳みの内側となる用紙８００の辺部分に発生しやすい角折れや、第１の折り目付近の第２折りローラ４２０による２重折れを、オペレータによる複雑な調整作業を必要とすることなく、防止することができる。
【００２５】
なお、用紙浮上り防止機構としては、上記のほかに、図８（ａ）に示すような、部分的な球状に形成されてその球面状の一部が上ガイド板３１１の表面から下ガイド板３１２方向に突出する部分球状部材３７３と、この部分球状部材３７３を下ガイド板３１２方向に加圧するばね３７４と、これら部分球状部材３７３及びばね３７４を上ガイド板３１１に保持する支持アングル３７５及び支持軸３７６と、を備えた構造や、球状表面の一部が上ガイド板３１１の表面から下ガイド板３１２方向に自重で突出する球状部材３７７と、この球状部材３７７が設定された部位から外れ落ちないようにその周囲を覆うカバー３７８とを備えた構造、とすることもできる。
【００２６】
また、図面として表示されていないが、上ガイド板３１１の用紙導入、送出口部分の辺に沿って、連続して上ガイド板３１１表面から下ガイド板３１２方向に突出するように、曲げ加工で形成された曲げ加工連続突起構造とすることもできる。
【００２７】
これらの突起構造においても、前述のしぼり突起構造のものと同様の作用効果が得られる。
【００２８】
図９は本発明の第２の実施例を示す紙折り装置全体の側面図、図１０はその第２折り畳み位置決定機構の拡大側面図、図１１はその第２折り畳み位置決定機構の平面図、図１２は第２折り畳み位置決定機構の用紙搬送路の、用紙導入、送出口部分の拡大断面側面図、図１３は用紙搬送路の用紙導入、送出口部分と折りローラ及び切換え機構との位置関係を示す側面図、図１４はこの第２の実施例における紙折り動作を説明するための装置主要部分の側面図である。
【００２９】
この第２の実施例は、第１折り畳み位置決定機構２００と第２折り畳み位置決定機構３００ａとの間に、切換え爪４５１、切換えアングル４５２、及び切換え制御器４５３から成る切換え機構４５０が設けられた構造の紙折り装置の場合の例であり、この場合の第２折り畳み位置決定機構３００ａの用紙搬送路３１０ａは、その用紙導入、送出口部分で、上ガイド板３１１ａが、切換え機構４５０が設けられている分短くなっているものの、上ガイド板３１１ａには、その用紙導入、送出口部分に、前述の第１の実施例と同様の、複数のしぼり突起Ａ３７１及びしぼり突起Ｂ３７２から成る構造の用紙浮上り防止機構３７０が配設された構成、構造となっている。
【００３０】
この第２の実施例においては、上ガイド板３１１ａがその用紙導入、送出口部分で第１の実施例の上ガイド板３１１より短くなっているが、用紙浮上り防止機構３７０によって用紙８００が浮き上るのを防止するので、切換え機構４５０が設けられていても、図１４に示すように、その切換え爪４５１によって用紙８００が折り曲げられることなく第２折りローラ４２０へと進入し、このとき、折り返された用紙８００の先端辺部分が当接してもこの用紙が一時停止することなく第２折りローラ４２０にくい込まれて、角折れや２重折れが発生するのを防止することができる。
【００３１】
なお、この第２の実施例においても、用紙浮上り防止機構として第１の実施例と同様に、図８（ａ），（ｂ）に示されるような構造のものや、図示省略されている、用紙導入、送出口部分の辺に沿って連続して突出する構造のものを採用することができる。
【００３２】
これら第１，第２の実施例において、用紙浮上り防止機構（３７０〜３７０ｂ等）の、上ガイド板（３１１，３１１ａ）表面から丸みを帯びて突出する部分は、折り畳まれる用紙８００の厚さ等を考慮して、その外表面が３〜４．５ｍｍの曲率半径を有し、その頂点と下ガイド板３１２との間隔が０．５〜１．０ｍｍとなるように形成するのが効果的である。
【００３３】
【発明の効果】
以上説明したように本発明は、第１の折り畳み位置決定機構、第１の折りローラ、第２の折り畳み位置決定機構、及び第２の折りローラを有する紙折り装置において、第２の折り畳み位置決定機構の用紙搬送路における上ガイド板の用紙導入、送出口部分に、この上ガイド板表面から下ガイド板方向に丸みを帯びて突出し、第２の折りローラへと送出される用紙が浮上るのを抑える用紙浮上り防止機構を設けた構造、構成とすることにより、オペレータによる複雑な調整作業等がなくても、この用紙搬送路の用紙導入、送出口部分で、第２の折りローラへと送出される用紙の浮上りを抑えることができて、第２の折りローラに円滑にくわえられるようになり、角折れや２重折れが発生するのを防ぐことができる、という効果がある。
【図面の簡単な説明】
【図１】本発明の第１の実施例を示す紙折り装置全体の側面図である。
【図２】図１に示された実施例における第２折り畳み位置決定機構の拡大側面図である。
【図３】図１に示された実施例における第２折り畳み位置決定機構の平面図である。
【図４】図１に示された実施例の第２折り畳み位置決定機構における、用紙搬送路の用紙導入、送出口部分の拡大断面側面図である。
【図５】図１に示された実施例の第２折り畳み位置決定機構における、用紙搬送路の用紙導入、送出口部分と折りローラとの位置関係を示す側面図である。
【図６】図１に示された実施例の第２折り畳み位置決定機構における、用紙搬送路の用紙導入、送出口部分と折りローラとの位置関係を示す平面図である。
【図７】図１に示された実施例の紙折り装置により、用紙が円滑に第２折りローラにくい込まれる様子を示す側面図である。
【図８】図１に示された実施例に適用可能な他の用紙浮上り防止機構の例を示す側面図である。
【図９】本発明の第２の実施例を示す紙折り装置全体の側面図である。
【図１０】図９に示された実施例における第２折り畳み位置決定機構の拡大側面図である。
【図１１】図９に示された実施例における第２折り畳み位置決定機構の平面図である。
【図１２】図９に示された実施例の第２折り畳み位置決定機構における、用紙搬送路の用紙導入、送出口部分の拡大断面側面図である。
【図１３】図９に示された実施例の第２折り畳み位置決定機構における、用紙搬送路の用紙導入、送出口部分と折りローラ及び切換え機構との位置関係を示す側面図である。
【図１４】図９に示された実施例の紙折り装置により円滑に紙折り動作が進行する様子を示す装置主要部分の側面図である。
【図１５】従来の紙折り装置の第１の例を示す装置全体の側面図である。
【図１６】図１５に示された従来の紙折り装置の第１折り畳み位置決定機構部分の平面図及び側面図である。
【図１７】図１５に示された従来の紙折り装置の第２折り畳み位置決定機構部分の平面図及び側面図である。
【図１８】図１５に示された従来の紙折り装置における、紙折り動作を説明するための装置主要部分の側面図である。
【図１９】従来の紙折り装置の第２の例を示す装置全体の側面図である。
【図２０】図１９に示された紙折り装置により折り畳まれる用紙に、２重折れ等が発生する様子を説明するための装置主要部分の側面図である。
【図２１】図１５，図１９に示された紙折り装置により折り畳まれた用紙の、正常な折り畳み状態、角折れ状態、及び２重折れ状態を示す斜視図である。
【符号の説明】
１００  給紙機構
２００  第１折り畳み位置決定機構
３００，３００ａ，３００ｘ，３００ｙ  第２折り畳み位置決定機構
３１０，３１０ａ，３１０ｘ，３１０ｙ  用紙搬送路
３１１，３１１ａ，３１１ｘ，３１１ｙ  上ガイド板
３１２  下ガイド板
３５０  用紙位置決めストッパ
３７０，３７０ａ，３７０ｂ  用紙浮上り防止機構
３７１  しぼり突起Ａ
３７２  しぼり突起Ｂ
３７３  部分球状部材
３７４  ばね
３７７  球状部材
３７８  カバー
４１０  第１折りローラ
４２０  第２折りローラ
４５０  切換え機構
４５１  切換え爪
５００  排紙機構
６００  折り済用紙受
８００  用紙
【図１】
2004352421.tif 000003
【図２】
2004352421.tif 000004
【図３】
2004352421.tif 000005
【図４】
2004352421.tif 000006
【図５】
2004352421.tif 000007
【図６】
2004352421.tif 000008
【図７】
2004352421.tif 000009
【図８】
2004352421.tif 000010
【図９】
2004352421.tif 000011
【図１０】
2004352421.tif 000012
【図１１】
2004352421.tif 000013
【図１２】
2004352421.tif 000014
【図１３】
2004352421.tif 000015
【図１４】
2004352421.tif 000016
【図１５】
2004352421.tif 000017
【図１６】
2004352421.tif 000018
【図１７】
2004352421.tif 000019
【図１８】
2004352421.tif 000020
【図１９】
2004352421.tif 000021
【図２０】
2004352421.tif 000022
【図２１】
2004352421.tif 000023